(57)【要約】【課題】ＤＶＤ用の赤色レーザビームに対して反射率が低い記録層を有する光ディスクであっても、光ディスクの種類を判別する。【解決手段】光ディスクに赤色レーザを照射して、フォーカスエラー信号ＦＥのＳ字カーブのゼロクロスが表面層のみからしか検出できなかった場合に、ＨＤ  ＤＶＤ用青色レーザを光ディスクに照射し（ステップＳ１９）、フォーカスサーチを行う（ステップＳ２０）。フォーカスサーチの結果、ゼロクロスが表面層からしか検出されなかった（ステップＳ２１のＹｅｓ）、若しくは基板の厚さが１．２ｍｍであると判別された場合（ステップＳ２２のＹｅｓ）に、装填されている光ディスクがＣＤ系であると識別する。フォーカスサーチの結果、基板の厚さが１．２ｍｍではないと判別された場合（ステップＳ２２のＮｏ）、ＨＤ  ＤＶＤ系であると識別する（ステップＳ２３）。【選択図】    図２
2008299960.tif 000002
【特許請求の範囲】
【請求項１】
装填されている光ディスクに、第１厚さの基板を有する第１光ディスクに記録されたデータを再生するための第１波長の第１光ビーム、第２厚さの基板を有する第２光ディスクに記録されたデータを再生するための第２波長の第２光ビーム、および第３光ディスクに記録されたデータを再生するための第３波長の第３光ビームの何れかを照射し、前記光ディスクからの反射光を検出して検出信号を出力する光ピックアップヘッドと、
前記光ピックアップヘッドから前記第１光ビーム、前記第２光ビーム、および前記第３光ビームの何れか一つの光ビームを前記装填されている光ディスクに照射させる第１照射手段と、
前記装填されている光ディスクが、前記第１光ディスク、前記第２光ディスク、及び前記第３光ディスクから構成される第１グループと、前記照射された光ビームの波長に対応しない２種類の光ディスクから構成される第２グループとの何れかに属するかを判別するグループ判別手段と、
前記第１グループに属すると判別された場合、前記第１照射手段によって照射された光ビームを用いて、前記装填されている光ディスクが、前記第１光ディスク、前記第２光ディスク、及び前記第２光ディスクの何れかであるかを識別する第１識別手段と、
前記第２グループに属すると判別された場合、前記第１照射手段によって前記光ピックアップヘッドから照射された光ビームを除いた光ビームを前記光ピックアップヘッドから照射させる第２照射手段と、
前記第２照射手段によって照射された光ビームを用いて前記装填されている光ディスクが、前記第２グループに属する２種類の光ディスクの何れかであるかを識別する第３識別手段と
を具備することを特徴とする光ディスク装置。
【請求項２】
前記第１照射手段は、前記光ピックアップヘッドから前記第２波長の前記第２光ビームを照射させ、
前記第１光ディスク及び前記第３光ディスクは前記第２グループに属することを特徴とする請求項１記載の光ディスク装置。
【請求項３】
前記グループ判別手段は、前記第２光ビームを用いてフォーカスサーチを行った際に得られる前記検出信号から合焦した層を検出する手段を更に具備し、
前記グループ判別手段は、検出された合焦層が表面層のみであるか否かを判別し、前記表面層のみではないと判別した場合に前記装填されている光ディスクが前記第１グループに属すると判別し、前記表面層のみであると判別した場合に前記装填されている光ディスクが前記第２グループに属すると判別することを特徴とする請求項２記載の光ディスク装置。
【請求項４】
前記光ディスクの基板の厚さを測定する手段と、
前記第３光ビームを用いてフォーカスサーチを行った際に得られる前記検出信号から合焦した層を検出する手段とを更に具備し、
前記第３光ディスクは、第３厚さの基板を有し、
前記第２照射手段は、前記光ピックアップヘッドから前記第３光ビームを照射させ、
前記第２識別手段は、
前記合焦層検出手段が検出した合焦層が表面層のみであるか否かを判別し、
前記合焦したのが表面層のみであると判別した場合に前記第１光ディスクであると判別し、
前記合焦したのが表面層のみではないと判別した場合に、前記基板厚測定手段が測定した光ディスクの基板の厚さが前記第１厚さであるか否かを判別し、
前記基板の厚さが前記第１厚さであると判別した場合に、前記装填されている光ディスクが前記第１光ディスクであると識別し、
前記基板の厚さが前記第１厚さではないと判別した場合に、前記装填されている光ディスクが前記第３光ディスクであると識別する
ことを特徴とする請求項３記載の光ディスク装置。
【請求項５】
前記光ディスクの基板の厚さを測定する手段と、
前記第１光ビームを用いてフォーカスサーチを行った際に得られる前記検出信号から合焦した層を検出する手段とを更に具備し、
前記第３光ディスクは、第３厚さの基板を有し、
前記第２照射手段は、前記光ピックアップヘッドから前記第１光ビームを照射させ、
前記第２識別手段は、
前記合焦層検出手段が検出した合焦層が表面層のみであるか否かを判別し、
前記合焦したのが表面層のみであると判別した場合に前記第３光ディスクであると判別し、
前記合焦したのが表面層のみではないと判別した場合に、前記基板厚測定手段が測定した前記光ディスクの基板の厚さが前記第１厚さであるか否かを判別し、
前記基板の厚さが前記第１厚さであると判別した場合に、前記装填されている光ディスクが前記第１光ディスクであると識別し、
前記基板の厚さが前記第１厚さではないと判別した場合に、前記装填されている光ディスクが前記第３光ディスクであると識別する
ことを特徴とする請求項３記載の光ディスク装置。
【請求項６】
前記第１光ディスクはＣＤの一種であり、
前記第２光ディスクはＤＶＤの一種であり、
前記第３光ディスクはＨＤ  ＤＶＤの一種である
ことを特徴とする請求項１〜５の何れかに記載の光ディスク装置。
【請求項７】
装填されている光ディスクに対して、第１厚さの基板を有する第１光ディスクに記録されたデータを再生するための第１波長の第１光ビーム、第２厚さの基板を有する第２光ディスクに記録されたデータを再生するための第２波長の第２光ビーム、および第３光ディスクに記録されたデータを再生するための第３波長の第３光ビームの何れかを照射し、前記光ディスクからの光を検出して検出信号を出力する光ピックアップヘッドを有し、装填されている光ディスクの種類を検出する光ディスク判別方法であって、
前記光ピックアップヘッドから前記第１波長、前記第２波長、および前記第３波長の何れか一つの波長の光ビームを前記装填されている光ディスクに照射させ、
前記装填されている光ディスクが、前記第１光ディスク、前記第２光ディスク、及び前記第３光ディスクから構成される第１グループと、前記照射された光ビームの波長に対応しない２種類の光ディスクから構成される第２グループとの何れかに属するかを判別するし、
前記第１グループに属すると判別された場合、前記グループの判別時に照射された光ビームを用いて、前記装填されている光ディスクが、前記光前記第１光ディスク、前記第２光ディスク、及び前記第２光ディスクの何れかであるかを識別し、
前記第２グループに属すると判別された場合、前記第１〜第３光ビームのうち前記グループの判別時に照射された光ビームを除いた２種類の光ビームの一方を前記光ピックアップヘッドから照射させ、
前記第２照射手段によって照射された光ビームを用いて前記装填されている光ディスクが、前記第２グループに属する２種類の光ディスクの何れかであるかを識別する
ことを特徴とする光ディスク判別方法。
【請求項８】
前記グループの判別前に、前記光ピックアップヘッドから前記第２光ビームを照射させ、
前記第１光ディスク及び前記第３光ディスクは前記第２グループに属することを特徴とする請求項７記載の光ディスク判別方法。
【請求項９】
前記グループの判別は、
前記第２光ビームを用いてフォーカスサーチを行った際に得られる前記検出信号から合焦した層が前記装填されている光ディスクの表面層のみであるか否かを判別し、
前記表面層のみではないと判別した場合に前記装填されている光ディスクが前記第１グループに属すると判別し、
前記表面層のみであると判別した場合に前記装填されている光ディスクが前記第２グループに属すると判別する
ことを特徴とする請求項８記載の光ディスク判別方法。
【請求項１０】
前記第３光ディスクは、第３厚さの基板を有し、
前記第１〜第３光ビームのうち前記グループの判別時に照射された光ビームを除いた２種類の光ビームの一方は前記第３光ビームであって、
前記照射された光ビームの波長に対応しない２種類の光ディスクの何れかであるかの識別は、
前記第３光ビームを用いてフォーカスサーチを行った際に得られる前記検出信号から前記第３光ビームが合焦したのが前記装填されている光ディスク表面層のみであるか否かを判別し、
前記合焦したのが表面層のみであると判別した場合に前記第１光ディスクであると判別し、
前記合焦したのが表面層のみではないと判別した場合に、前記第３光ビームを用いてフォーカスサーチを行った際に得られる前記検出信号から前記装填されている光ディスクの基板の厚さが前記第１厚さであるか否かを判別し、
前記基板の厚さが前記第１厚さであると判別した場合に、前記装填されている光ディスクが前記第１光ディスクであると識別し、
前記基板の厚さが前記第１厚さではないと判別した場合に、前記装填されている光ディスクが前記第３光ディスクであると識別する
ことを特徴とする請求項９記載の光ディスク判別方法。
【請求項１１】
前記第３光ディスクは、第３厚さの基板を有し、
前記第１〜第３光ビームのうち前記グループの判別時に照射された光ビームを除いた２種類の光ビームの一方は前記第１光ビームであって、
前記照射された光ビームの波長に対応しない２種類の光ディスクの何れかであるかの識別は、
前記第１光ビームを用いてフォーカスサーチを行った際に得られる前記検出信号から前記第１光ビームが合焦したのが前記装填されている光ディスクの表面層のみであるか否かを判別し、
前記合焦したのが表面層のみであると判別した場合に前記装填されている光ディスクが前記第３光ディスクであると判別し、
前記合焦したのが表面層のみではないと判別した場合に、前記第１光ビームを用いてフォーカスサーチを行った際に得られる前記検出信号から前記装填されている光ディスクの基板の厚さが前記第１厚さであるか否かを判別し、
前記基板の厚さが前記第１厚さであると判別した場合に、前記装填されている光ディスクが前記第１光ディスクであると識別し、
前記基板の厚さが前記第１厚さではないと判別した場合に、前記装填されている光ディスクが前記第３光ディスクであると識別する
ことを特徴とする請求項９記載の光ディスク判別方法。
【請求項１２】
前記第１光ディスクはＣＤの一種であり、
前記第２光ディスクはＤＶＤの一種であり、
前記第３光ディスクはＨＤ  ＤＶＤの一種である
ことを特徴とする請求項７〜１１の何れかに記載の光ディスク判別方法。
【発明の詳細な説明】
【技術分野】
【０００１】
本発明は、装填された光ディスクの種類を判別する光ディスク装置および光ディスク判別方法に関する。
【背景技術】
【０００２】
現在、直径が１２ｃｍの光ディスクとして、ＣＤ（compact disc）、ＤＶＤ（digital versatile disc）、ＨＤ  ＤＶＤ（high definition digital versatile disc）等がある。そして、これらのＣＤ、ＤＶＤ、ＨＤ  ＤＶＤを全て再生することが出来る光ディスク装置も登場している。このような光ディスク装置では、装填された光ディスクがＣＤ、ＤＶＤ、およびＨＤ  ＤＶＤの何れかであるかを識別しなければならない。
【０００３】
特許文献１には、ＣＤ、ＨＤ  ＤＶＤを再生することが出来る光ディスク装置において、装填されたＣＤ、ＤＶＤの何れかであるかを識別する技術が開示されている。
【特許文献１】特開平１０−１８８４５８号公報
【発明の開示】
【発明が解決しようとする課題】
【０００４】
ところで、ＤＶＤ用の赤色レーザビームを用いて光ディスク装置に装填された光ディスクが３種類の何れかであるかを識別する方法が提案されている。ところが、一部のＨＤ  ＤＶＤ−ＲＷには、赤色レーザビームに対する記録層の反射率が低く、ＨＤ  ＤＶＤ系のディスクであることを検出することができない物があることが分かった。
【０００５】
本発明の目的は、あるレーザビームの波長に対して反射率が低い記録層を有する光ディスクであっても、光ディスクの種類を判別することが可能な光ディスク装置、および光ディスク判別方法を提供することにある。
【課題を解決するための手段】
【０００６】
本発明の一例に係わる光ディスク装置は、装填されている光ディスクに、第１厚さの基板を有する第１光ディスクに記録されたデータを再生するための第１波長の第１光ビーム、第２厚さの基板を有する第２光ディスクに記録されたデータを再生するための第２波長の第２光ビーム、および第３光ディスクに記録されたデータを再生するための第３波長の第３光ビームの何れかを照射し、前記光ディスクからの反射光を検出して検出信号を出力する光ピックアップヘッドと、前記光ピックアップヘッドから前記第１光ビーム、前記第２光ビーム、および前記第３光ビームの何れか一つの光ビームを前記装填されている光ディスクに照射させる第１照射手段と、前記装填されている光ディスクが、前記第１光ディスク、前記第２光ディスク、及び前記第３光ディスクから構成される第１グループと、前記照射された光ビームの波長に対応しない２種類の光ディスクから構成される第２グループとの何れかに属するかを判別するグループ判別手段と、前記第１グループに属すると判別された場合、前記第１照射手段によって照射された光ビームを用いて、前記装填されている光ディスクが、前記第１光ディスク、前記第２光ディスク、及び前記第２光ディスクの何れかであるかを識別する第１識別手段と、前記第２グループに属すると判別された場合、前記第１照射手段によって前記光ピックアップヘッドから照射された光ビームを除いた光ビームを前記光ピックアップヘッドから照射させる第２照射手段と、前記第２照射手段によって照射された光ビームを用いて前記装填されている光ディスクが、前記第２グループに属する２種類の光ディスクの何れかであるかを識別する第３識別手段とを具備することを特徴とする。
【発明の効果】
【０００７】
あるレーザビームの波長に対して反射率が低い記録層を有する光ディスクであっても、光ディスクの種類を判別することが可能になる。
【発明を実施するための最良の形態】
【０００８】
本発明の実施の形態を以下に図面を参照して説明する。
【０００９】
図１は、本発明の一実施形態に係る光ディスク装置の構成を示すブロック図である。
【００１０】
光ディスク装置１１にセットされた光ディスク６１は、ユーザデータを記録可能な光ディスクあるいは読出し専用の光ディスクであるが、この実施形態では記録可能な多層構造の光ディスクとして説明する。なお、情報記録面を多層構造で有する光ディスクとしては、ＤＶＤ−Ｒ等が挙げられるが、これに限らず多層記録可能な光ディスクであればよい。
【００１１】
光ディスク６１の情報記録面には、スパイラル状にランドトラックおよびグルーブトラックが形成されている。この光ディスク６１はスピンドルモータ６３によって回転駆動される。
【００１２】
光ディスク６１に対する情報の記録、再生は、光ピックアップヘッド６５（図中左側の破線で囲んだ部分）によって行われる。光ピックアップヘッド６５は、スレッドモータ６６とギア等を含む連結部１０１を介して連結されており、このスレッドモータ６６はスレッドモータ制御回路６８により制御される。
【００１３】
図中のスレッドモータ６６の下部に位置する速度検出回路６９は、光ピックアップの移動速度を検出するものであり、上述のスレッドモータ制御回路６８に接続されている。速度検出回路６９により検出される光ピックアップヘッド６５の速度信号がスレッドモータ制御回路６８に送られる。また、スレッドモータ６６の固定部に、図示しない永久磁石を設けており、駆動コイル６７がスレッドモータ制御回路６８によって励磁されることにより、光ピックアップヘッド６５が光ディスク６１の半径方向に駆動する。
【００１４】
光ピックアップヘッド６５には、図示しない例えばワイヤあるいは板バネによって支持された対物レンズ７０が設けられる。対物レンズ７０は、トラッキング駆動コイル７１の駆動によりトラッキング方向（光ディスクのトラッ方向）への移動が可能である。また、対物レンズ７０は、フォーカシング駆動コイル７２の駆動によりフォーカシング方向（レンズの光軸方向）への移動が可能である。
【００１５】
変調回路７３は、光ディスク６１への情報記録する場合、ホスト装置９４からインターフェース回路９３およびバス８９を介して記録する情報信号を受け、これを光ディスク６１の規格に定められた変調方式（例えば８−１６変調）にて変調する。レーザ駆動回路７５は、光ディスク６１への情報記録時（マーク形成時）に、変調回路７３から供給される変調データに基づいて書込み用信号を半導体レーザダイオード７９に供給する。またレーザ駆動回路７５は、情報再生時には書込み用信号より小さい読取り用信号を半導体レーザダイオード７９に供給する。
【００１６】
半導体レーザダイオード７９は、レーザ駆動回路７５から供給される信号に応じてレーザ光を発生する。半導体レーザダイオード７９から発せられるレーザ光は、コリメータレンズ８０、ハーフプリズム８１、対物レンズ７０を介して光ディスク６１上に照射される。光ディスク６１からの反射光は、対物レンズ７０、ハーフプリズム８１、集光レンズ８２、シリンドリカルレンズ８３を介して光検出器８４に導かれる。
【００１７】
なお、半導体レーザダイオード７９は、それぞれＣＤ用（赤外：波長７８０ｎｍ）、ＤＶＤ用（赤：波長６５０ｎｍ）、ＨＤ  ＤＶＤ用（青紫：波長４０５ｎｍ）のレーザ光を出射する３つの半導体レーザダイオードからなっている。これら半導体レーザダイオードは、同一ＣＡＮパッケージ内に収容されていてもよく、あるいは、独立した３つのＣＡＮパッケージ内にそれぞれ収容され、光ピックアップヘッド６５のベース上に個別に配置されるものであっても良い。光学系は、半導体レーザの構成に応じて適宜、その構成・配置が変更される。
【００１８】
なお、光学系を構成する各部品のうち対物レンズは、ＨＤ  ＤＶＤ用レーザ光を適正に光ディスクの情報記録面上に集光させ得るよう設計されている。また、光学系には、ＤＶＤ用レーザ光とＣＤ用レーザ光を使用する際に生じる収差を抑制するための収差補正素子（回折素子、位相補正素子、等）や、ＣＤ用レーザ光を使用する際に対物レンズに対する開口数を制限するための開口数制限素子（液晶シャッター、回折素子、等）が含まれている。
【００１９】
光検出器８４は、例えば４分割の光検出セル８４Ａ〜８４Ｄから構成されている。光検出器８４の各光検出セル８４Ａ〜８４Ｄの出力信号は、それぞれ電流／電圧変換用のアンプ８５Ａ〜８５Ｄを介して、光検出セル８４Ａと光検出セル８４Ｃの出力を加算する加算器８６Ａ、光検出セル８４Ｄと光検出セル８４Ｂの出力を加算する加算器８６Ｂ、光検出セル８４Ａと光検出セル８４Ｄの出力を加算する加算器８６Ｃ、光検出セル８４Ａと光検出セル８４Ｂの出力を加算する加算器８６Ｄに供給される。加算器８６Ａ、８６Ｂの出力は差動アンプＯＰ２に供給され、加算器８６Ｃ、８６Ｄの出力はＯＰ１に供給される。
【００２０】
差動アンプＯＰ２は、加算器８６Ａ、８６Ｂの両出力信号の差に応じた、フォーカスエラー信号ＦＥを生成する。このフォーカスエラー信号ＦＥは、フォーカシング制御回路８７に供給される。フォーカシング制御回路８７の出力信号ＦＣは、フォーカシング駆動コイル７２に供給される。供給されたフォーカシング制御回路８７の出力信号ＦＣに基づいて、レーザ光が光ディスク６１の記録面上に常時ジャストフォーカスとなる制御がなされる。さらにフォーカシング制御回路８７は、フォーカスエラー信号ＦＥの振幅を測定する測定機能を有し、その測定値は、バス８９を介してＣＰＵ９０に出力される。
【００２１】
差動アンプＯＰ１は、加算器８６Ｃ、８６Ｄの両出力信号の差に応じたトラッキングエラー信号ＴＥを生成する。このトラッキングエラー信号ＴＥはトラッキング制御回路８８に供給され、トラッキング制御回路８８では、このトラッキングエラー信号ＴＥに応じてトラッキング駆動信号を生成する。トラッキング制御回路８８から出力されるトラッキング駆動信号は、対物レンズ７０を光ディスクのトラック方向へ駆動するトラッキング駆動コイル７１に供給される。供給されたトラッキング駆動信号に基づいて、レーザ光が光ディスク６１の記録面上の所定箇所に照射される制御がなされる。また、トラッキング制御回路８８で用いられるトラッキングエラー信号ＴＥが、スレッドモータ制御回路６８にも供給される。
【００２２】
以上のようにフォーカシング制御およびトラッキング制御がなされることで、光検出器８４の光検出セル８４Ａ〜８４Ｄの出力信号の和信号、つまり加算器８６Ｃ、８６Ｄの両出力信号を加算する加算器８６Ｅの出力和信号ＲＦによって、記録情報に忠実な信号を得ることができる。この出力和信号ＲＦは、データ再生回路７８に供給される。
【００２３】
演算増幅器ＯＰ３は、加算器８６Ｃ、８６Ｄの両出力信号を加算し、加算信号に対してハイパスフィルタ処理を行った信号を生成する。演算増幅器ＯＰ３の出力信号（ＲＦ信号）は、ＲＦ振幅検出回路１００に供給され、ＲＦ信号の振幅に比例したレベルの信号（ＲＦ  Ｒｉｐｐｌｅ）が生成される。ＲＦ振幅検出回路１００は、ＲＦ信号のピーク値およびボトム値をそれぞれ検波して、その差分値を求める回路で構成されている。
【００２４】
演算増幅器ＯＰ４は、加算器８６Ｃ、８６Ｄの両出力信号を加算し（検出セル８４Ａ〜８４Ｄの出力の加算信号）、加算信号に対してローパスフィルタ処理を行う。そして、ローパスフィルタ処理が行われた加算信号の強度を検出することによって、強度に応じたＳＢＡＤ（ｓｕｂ−ｂｅａｍ  ａｄｄｉｏｎ）信号を生成する。
【００２５】
次に、図１の最下部に位置するデータ再生回路７８は、ＰＬＬ回路７６からの再生用クロック信号に基づき、読み出された記録データを再生する。さらにデータ再生回路７８は、信号ＲＦの振幅を測定する測定機能を有し、その測定値は、バス８９を介してＣＰＵ９０に出力される。
【００２６】
スレッドモータ制御回路６８は、スレッドモータ６６を制御し、対物レンズ７０が光ピックアップヘッド６５内での稼動範囲内の中心位置近傍に位置するように光ピックアップヘッド６５の本体を移動させる。
【００２７】
また、モータ制御回路６４、スレッドモータ制御回路６８、変調回路７３、レーザ駆動回路７５、ＰＬＬ回路７６、データ再生回路７８、フォーカシング制御回路８７、トラッキング制御回路８８等は、１つのＬＳＩチップ内に構成することができ、これら回路は、バス８９を介してＣＰＵ９０によって制御される。ＣＰＵ９０は、インターフェース回路９３を介してホスト装置９４から供給される動作コマンドに従って、この光ディスク記録再生装置を総合的に制御する。またＣＰＵ９０は、ＲＡＭ９１を作業エリアとして使用し、ＲＯＭ９２に記録された本実施形態に係る処理を含むプログラムに従って、所定の制御を行う。
【００２８】
以下に、光ディスク装置には、基盤厚が１．２mmのＣＤと基盤厚が０．６ｍｍのＤＶＤ及びＨＤ  ＤＶＤの何れかのメディアが装填される。以下に、光ディスク装置に装填されたメディアの種類を検出する。
【００２９】
以下に、図２を参照してメディアの種類を検出するための構成を説明する。
【００３０】
本構成は、光ディスク判別制御部２００、合焦／基板厚検出部２０１等を有する。なお、光ディスク判別制御部２００、および合焦／基板厚検出部２０１はＣＰＵによって実行されるプログラムである。
【００３１】
合焦／基板厚検出部２０１は、フォーカスエラー信号ＦＥを監視し、光ビームがある層に合焦する近傍に現れるＳ字カーブのゼロクロスを検出することによって、レーザビームの合焦の検出、合焦数のカウント、およびその検出時間を測定する機能を有する。そして、検出時間から光ディスクの基板の厚さを測定する。
【００３２】
図３に、合焦／基板厚検出部２０１の合焦層検出、および基板厚の測定原理を示す。図３（Ａ）はＣＤ、図３（Ｂ）はＨＤ  ＤＶＤまたはＤＶＤを想定している。ＦＥ、ＳＢＡＤは図１に示したフォーカス信号である。ＦＤＲＶはフォーカシング駆動コイル７２を駆動するドライブ信号である。フォーカシング駆動コイル７２を一定速度でディスクから遠い側から近い側へ駆動すると、最初に対物レンズ７０からの出射光がディスク保護層の表面に合焦する近傍にて、表面からの反射光が光検出器８４により検出され、フォーカスエラー信号のＳ字カーブがゼロクロスし、ＳＢＡＤ信号が極大値をとる。そのまま一定速度にて対物レンズ７０を光ディスクに近づけると、今度は記録膜層の近傍にてフォーカスエラー信号のＳ字カーブがゼロクロスし、ＳＢＡＤ信号が極大値をとる。
【００３３】
フォーカスエラー信号のＳ字カーブがゼロクロスする、あるいはＳＢＡＤ信号が極大値をとるタイミングを合焦／基板厚検出部２０１が監視し、表面層と記録層との時間間隔（Ｔ）を計測する。合焦／基板厚検出部２０１は、この時間間隔によって基板厚が１．２ｍｍ、若しくは０．６ｍｍである事を検出する。
【００３４】
上述したように、レーザビームの合焦は、フォーカスエラー信号ＦＥおよびＳＢＡＤ信号のどちらでも検出することが出来る。本実施形態では、フォーカスエラー信号ＦＥを用いて、レーザビームの合焦を検出している。
【００３５】
次に、図４のフローチャートを参照してメディアの種類を検出する手順を説明する。
【００３６】
先ず、光ディスクが載置されるトレイが装置内に格納されると、光ディスク判別制御部２００が、光ピックアップヘッド６５からＤＶＤ用の赤色レーザを光ディスク方向に対して照射させる（ステップＳ１１）。
【００３７】
光ディスク判別制御部２００は、フォーカシング制御回路８７にフォーカスサーチの実施を指示する（ステップＳ１２）。フォーカシング制御回路８７は、フォーカシング駆動コイル７２の駆動により対物レンズ７０をフォーカス方向（光軸方向）に一定速度で移動させる。また、フォーカスサーチが終了すると合焦／基板厚検出部２０１は、合焦数、および検出した基板厚を光ディスク判別制御部２００に通知する。
【００３８】
光ディスク判別制御部２００は、通知された合焦数から、合焦することが出来たか否かを判別する（ステップＳ１３）。合焦することが出来ないと判断した場合に（ステップＳ１３のＮｏ）、光ディスク制御部は、光ディスクが装填されていないと判断する（ステップＳ１４）。フォーカスサーチが終了すると数が０であれば、光ディスク判別制御部２００は、合焦していないと判別する。
【００３９】
合焦することが出来たと判断した場合に、合焦数からＤＶＤ用赤色レーザビームが合焦したのが、光ディスクの表面層のみであるか否かを判別する（ステップＳ１５）。合焦数が１であれば、ＤＶＤ用赤色レーザビームが合焦したのが光ディスクの表面層のみということである。
【００４０】
表面層のみであると判断した場合（ステップＳ１５のＹｅｓ）、光ディスク判別制御部２００は、光ピックアップヘッド６５からＨＤ  ＤＶＤ用の青色レーザビームを光ディスクに対して照射させる（ステップＳ１９）。
【００４１】
光ディスク判別制御部２００は、ＨＤ  ＤＶＤ用の青色レーザビームが光ディスクに照射された状態でのフォーカシング制御回路８７にフォーカスサーチの実施を指示する（ステップＳ２０）。
【００４２】
光ディスク判別制御部２００は、合焦数からＨＤ  ＤＶＤ用青色レーザビームが合焦したのが、光ディスクの表面層のみであるか否かを判別する（ステップＳ２１）。表面層のみであると判断した場合（ステップＳ２１のＹｅｓ）、光ディスク判別制御部２００は、装填されているメディアがＣＤの一種であると判別する（ステップＳ１８）。
【００４３】
表面層のみではないと判別した場合（ステップＳ２１のＮｏ）、光ディスク判別制御部２００は、合焦／基板厚検出部２０１が検出する基板の厚さが１．２ｍｍであるか否かを判別する（ステップＳ２２）。
【００４４】
基板厚さが１．２ｍｍではないと判別した場合（ステップＳ２２のＮｏ）、装填されているメディアがＨＤ  ＤＶＤ系であると判別する（ステップＳ２３）。基板厚さが１．２ｍｍであると判別した場合、ＣＤ系であると判別する（ステップＳ１８）。
【００４５】
ステップＳ１５のＤＶＤ用赤色レーザビームが合焦したのが光ディスクの表面層のみであるか否かの判別において、表面層のみではないと判別した場合（ステップＳ１５のＮｏ）、ステップＳ２２と同様に光ディスクの基板の厚さが１．２ｍｍであるか否かを判別する（ステップＳ１６）。基板の厚さが１．２ｍｍであると判別した場合、ＣＤの一種であると判別する（ステップＳ１８）。
【００４６】
基板厚さが１．２ｍｍではないと判別した場合、メディアがＤＶＤ系かＨＤ  ＤＶＤ系の何れかであるかの検出する処理を行う（ステップＳ１７）。このＤＶＤ／ＨＤ  ＤＶＤ判別処理について図５を参照して説明する。
【００４７】
先ず、光ディスク判別制御部２００は、対物レンズ７０を上下させて反射率（ＲＥ）を測定する（ステップＳ２１４）。本実施形態では、フォーカスサーチ時にフォーカシング制御回路８７によって測定されるＦｏｃｕｓＥｒｒｏｒ信号（ＦＥ信号）の振幅ＡFE、もしくは演算増幅器ＯＰ４によって測定されるＳＢＡＤ信号の振幅ＡSBADを反射率Ｒとする。
【００４８】
次に、光ディスク判別制御部２００は、フォーカシング制御回路８７に対して、光ディスクの記録面に対するフォーカス制御を指示する（ステップＳ２１６）。トラッキング制御回路８８は、差動アンプＯＰ１から出力されるトラッキングエラー信号ＴＥを位相差検出方式（位相差検出（ＤＰＤ：Differential Phase Detection）方式）出検出される位相差検出（ＤＰＤ）信号に設定して、ＤＰＤ信号の振幅値（ＤＰＤ）を測定する（ステップＳ２１８）。また、トラッキング制御回路８８は、差動アンプＯＰ１から出力されるトラッキングエラー信号ＴＥをプッシュプル方式（ＰＰ方式）で検出されるプッシュプル（ＰＰ）信号の振幅値（ＰＰ１）を測定する（ステップＳ２２０）。
【００４９】
ステップＳ２１４で得られた反射率（ＲＥ）と、ステップＳ２２０で測定されたＰＰ信号の振幅値（ＰＰ１）とに基づいて、光ディスク判別制御部２００は、反射率（ＲＥ）に対するＰＰ信号の振幅値（ＰＰ１）の割合を計算し、その割合（ＰＰ１／ＲＥ）を所定の閾値（ＴＨ２）と比較する（ステップＳ２２２）。
【００５０】
計算された値（ＰＰ１／ＲＥ）が所定の閾値（ＴＨ２）より大きい場合（ステップＳ２２２でＹＥＳ）、光ディスク判別制御部２００は、ＤＰＤ信号の振幅値（ＤＰＤ）と所定の閾値（ＴＨ３）とを比較する（ステップＳ２２４）。ＤＰＤ信号の振幅値（ＤＰＤ）が所定の閾値（ＴＨ３）以下である場合（ステップＳ２２４でＮＯ）、光ディスク判別制御部２００は、光ディスクは、「ＨＤ  ＤＶＤ−ＲＯＭ」、「ＨＤ  ＤＶＤ−Ｒ」、及び「ＨＤ  ＤＶＤ−ＲＷ」のうちのいずれか１つであると判別する（ステップＳ２２６）。一方、ＤＰＤ信号の振幅値（ＤＰＤ）が所定の閾値（ＴＨ３）より大きい場合（ステップＳ２２４でＹＥＳ）、光ディスク判別制御部２００は、光ディスクは「ＤＶＤ−ＲＯＭ」であると判別する（ステップＳ２２８）。
【００５１】
また、ステップＳ２２２で、計算された値（ＰＰ１／ＲＥ）が所定の閾値（ＴＨ２）以下である場合（ステップＳ２２２でＮＯ）、光ディスク判別制御部２００は、反射率に対するＰＰ信号の振幅値の割合（ＰＰ１／ＲＥ）を所定の閾値（ＴＨ４）と比較する（ステップＳ２３０）。反射率に対するＰＰ信号の振幅値の割合（ＰＰ１／ＲＥ）が所定の閾値（ＴＨ４）より大きい場合（ステップＳ２３０でＹＥＳ）、光ディスク判別制御部２００は、光ディスクは「ＤＶＤ−ＲＡＭ」であると判別する。一方、反射率に対するＰＰ信号の振幅値の割合（ＰＰ１／ＲＥ）が所定の閾値（ＴＨ４）以下である場合（ステップＳ２３０でＮＯ）、処理はステップＳ２３４に進む。
【００５２】
ステップＳ２３４では、光ディスク判別制御部２００は、スレッドモータ制御回路６８を駆動して、光ピックアップヘッド６５を光ディスクのリードイン（システムリードイン）領域に移動させる。次に、光ディスク判別制御部２００は、トラッキング制御回路８８に、リードイン領域におけるＰＰ信号の振幅値（ＰＰ２）を測定させる（ステップＳ２３６）。光ディスクのデータ領域のトラックピッチと、光ディスクのリードイン（システムリードイン）領域のトラックピッチとは、異なり得る。従って、データ領域におけるＰＰ信号の振幅値（ＰＰ１）とリードイン領域におけるＰＰ信号の振幅値（ＰＰ２）とは異なり得る。次に、光ディスク判別制御部２００は、リードイン領域におけるＰＰ信号の振幅値（ＰＰ２）に対する、データ領域におけるＰＰ信号の振幅値（ＰＰ１）の割合を計算し、その割合（ＰＰ１／ＰＰ２）を所定の閾値（ＴＨ５）と比較する（ステップＳ２３８）。その割合（ＰＰ１／ＰＰ２）が所定の閾値（ＴＨ５）以下である場合（ステップＳ２３８でＮＯ）、光ディスク判別制御部２００は、光ディスクは、「ＤＶＤ−ＲＯＭ」、「ＤＶＤ−Ｒ」、「ＤＶＤ−ＲＷ」、「ＤＶＤ＋Ｒ」、及び「ＤＶＤ＋ＲＷ」のうちのいずれか１つであると判別する（ステップＳ２４０）。一方、その割合（ＰＰ１／ＰＰ２）が所定の閾値（ＴＨ５）より大きい場合（ステップＳ２３８でＹＥＳ）、光ディスク判別制御部２００は、光ディスクは「ＨＤ  ＤＶＤ−ＲＡＭ」であると判別する（ステップＳ２４２）。
【００５３】
以上の処理では、光ディスク装置に装填されたメディアの種類を判別することが出来る。この手法によれば、ＣＤ系とＨＤ  ＤＶＤ系とを誤って判別してしまうことがあったが、確実に判別することが出来る。
【００５４】
上述した例では、ステップＳ１５のＤＶＤ用赤色レーザビームが合焦したのが光ディスクの表面層のみであるか否かの判別において、表面層のみであると判別した場合（ステップＳ１５のＹｅｓ）、ＨＤ  ＤＶＤ用青色レーザを光ディスクに照射していた。ＨＤ  ＤＶＤ用青色レーザの代わりにＣＤ用赤外レーザを光ディスクに照射することによってＣＤ系とＨＤ  ＤＶＤ系とを区別することも可能である。図６のフローチャートを参照して説明する。なお、図６のフローチャートにおいて、ステップＳ３９〜Ｓ４３処理以外は図４を参照して説明した処理と同様なので説明を省略する。
【００５５】
表面層のみであると判断した場合（ステップＳ１５のＹｅｓ）、光ディスク判別制御部２００は、光ピックアップヘッド６５からＣＤ用の赤外レーザビームを光ディスクに対して照射させる（ステップＳ３９）。
【００５６】
光ディスク判別制御部２００は、ＣＤ用の赤外レーザビームが光ディスクに照射された状態でのフォーカシング制御回路８７にフォーカスサーチの実施を指示する（ステップＳ４０）。フォーカスサーチが終了すると、合焦／基板厚検出部２０１は、合焦数と基板厚を光ディスク判別制御部２００に通知する。
【００５７】
光ディスク判別制御部２００は、合焦数からＣＤ用赤外レーザビームが合焦したのが、光ディスクの表面層のみであるか否かを判別する（ステップＳ４１）。表面層のみであると判断した場合（ステップＳ２１のＹｅｓ）、光ディスク判別制御部２００は、装填されているメディアがＨＤ  ＤＶＤの一種であると判別する（ステップＳ４３）。
【００５８】
表面層のみではないと判別した場合（ステップＳ４１のＮｏ）、光ディスク判別制御部２００は、合焦／基板厚検出部２０１が検出した基板の厚さが１．２ｍｍであるか否かを判別する（ステップＳ４２）。
【００５９】
基板厚さが１．２ｍｍではないと判別した場合（ステップＳ４２のＮｏ）、装填されているメディアがＨＤ  ＤＶＤ系であると判別する（ステップＳ４３）。基板厚さが１．２ｍｍであると判別した場合、ＣＤ系であると判別する（ステップＳ１８）。
【００６０】
この例に示すように、ＤＶＤ用赤色レーザビームとＣＤ用赤外レーザビームとを用いても、光ディスクの種類を判別することが出来る。
【００６１】
上述した二つの判別方法をまとめる。ステップＳ１５において、装填されている光ディスクが、ＣＤ、ＤＶＤ、およびＨＤ  ＤＶＤから構成されるグループ（ステップＳ１５のＮｏの場合）と、ＣＤとＨＤ  ＤＶＤとから構成されるグループ（ステップＳ１５のＹｅｓの場合）との何れかに属するかをＤＶＤ用赤色レーザビームを用いて判別している。
【００６２】
そして、ＣＤ、ＤＶＤ、およびＨＤ  ＤＶＤから構成されるグループに属すると判別された場合、装填されている光ディスクがＣＤ、ＤＶＤ、およびＨＤ  ＤＶＤの何れかであるかをＤＶＤ用赤色レーザビームを用いて判別している。
【００６３】
そして、ＣＤとＨＤ  ＤＶＤとから構成されるグループに属すると判別された場合、装填されている光ディスクがＣＤおよびＨＤ  ＤＶＤの何れかであるかをＤＶＤ用赤色レーザビーム以外のＨＤ  ＤＶＤ用青色レーザビームおよびＣＤ用赤外レーザビームの一方を用いて判別している。
【００６４】
この方法を更に拡張して説明する。ステップＳ１５において、装填されている光ディスクにＣＤ用赤外レーザビーム、ＤＶＤ用赤色レーザビーム、およびＨＤ  ＤＶＤ用青色レーザビームから選択される１種類のレーザビームを照射することによって、光ディスクが、ＣＤ、ＤＶＤ、およびＨＤ  ＤＶＤから構成されるグループ（ステップＳ１５のＮｏの場合）と、照射されなかった２種類のレーザビームを用いて再生される２種類の光ディスクから構成されるグループ（ステップＳ１５のＹｅｓの場合）との何れかに属するかを判別する。
【００６５】
そして、ＣＤ、ＤＶＤ、およびＨＤ  ＤＶＤから構成されるグループに属すると判別された場合、光ディスクにＣＤ用赤外レーザビーム、ＤＶＤ用赤色レーザビーム、およびＨＤ  ＤＶＤ用青色レーザビームから選択される１種類のレーザビームを照射することによって、装填されている光ディスクがＣＤ、ＤＶＤ、およびＨＤ  ＤＶＤの何れかであるかを判別している。
【００６６】
そして、照射されなかった２種類のレーザビームを用いて再生される２種類の光ディスクから構成されるグループに属すると判別された場合、装填されている光ディスクに先に照射されなかった２種類のレーザビームの一方のレーザビームを照射することによって、
光ディスクが照射されなかった２種類のレーザビームを用いて再生される２種類の光ディスクの何れかであるかを判別している。
【００６７】
このディスクの判定に用いる２種類のレーザビームの選択は多様であり、色々選択することが出来る。
【００６８】
なお、ＣＤ−Ｒ、ＤＶＤ−Ｒ等の記録層に色素を用いたメディアにＨＤ  ＤＶＤ用青色レーザビームを照射すると、色素が劣化しデータを生成することが出来ないことがあるので、最初のグループ分けの判定にはＤＶＤ用赤色レーザビーム、若しくはＣＤ用赤外レーザビームを用いることが好ましい。
【００６９】
本発明では、ＨＤ  ＤＶＤ、ＤＶＤ、ＣＤの３種類のディスクを対象としているが、Ｂｌｕ−ｒａｙ  Ｄｉｓｃなど他の光ディスクの基板厚判定に対しても同様の効果が得られる。
【００７０】
また、３波長ＬＤから任意に１つを選択して第一の判断を行い、残りの２波長ＬＤから１つを選択し第二の判断を行うことも可能であり、これらの組み合わせとしての６通りすべてが実施例となる。
【００７１】
なお、本発明は、上記実施形態そのままに限定されるものではない。本発明は、実施段階では、その要旨を逸脱しない範囲で構成要素を変更して具現化できる。また、上記実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００７２】
【図１】本発明の一実施形態に係る光ディスク装置の構成を示すブロック図。
【図２】メディアの種類を検出するための構成を示すブロック図。
【図３】レーザビームの合焦、および基板厚の測定原理を説明するための図。
【図４】メディアの種類を検出する手順を示すフローチャート。
【図５】メディアの種類を検出する手順を示すフローチャート。
【図６】メディアの種類を検出する手順を示すフローチャート。
【符号の説明】
【００７３】
１１…光ディスク装置，６１…光ディスク，６５…光ピックアップヘッド，６８…スレッドモータ制御回路，７０…対物レンズ，７２…フォーカシング駆動コイル，８７…フォーカシング制御回路，８８…トラッキング制御回路，１００…ＲＦ振幅検出回路，２００…光ディスク判別制御部，２０１…ゼロクロス検出部。
【図１】
2008299960.tif 000003
【図２】
2008299960.tif 000004
【図３】
2008299960.tif 000005
【図４】
2008299960.tif 000006
【図５】
2008299960.tif 000007
【図６】
2008299960.tif 000008